(57)【特許請求の範囲】
【請求項１】
下端から下方に向かって別体のバックパネルが垂設されてなるミラーキャビネットであって、
裏側へ折曲された側面部を有するバックパネルの上端側をミラーキャビネットの下端裏側に呑み込ませ、バックパネルの上端側の裏側に、前記側面部の奥行き方向の長さとほぼ同じ奥行き方向の長さを有する押え部材を固設して、該押え部材とミラーキャビネット間に前記バックパネルが挟み込まれている
ことを特徴とするミラーキャビネット。
【請求項２】
下端から下方に向かって別体のバックパネルが垂設されてなるミラーキャビネットであって、
前記バックパネルは、ミラーキャビネットの下端裏側に上端側を呑み込ませ、該上端側の裏側に押え部材を固設して、該押え部材とミラーキャビネット間に挟み込まれているとともに、
前記バックパネルの左右両端側には裏側へ折曲された側面部が形成されてなり、該側面部には切断用溝が上下方向に所定間隔で形成されて高さ調整可能に構成され、
高さ調整後の前記側面部の上端が、前記ミラーキャビネットの左右両端の側面部の下端に当接されて配置されている
ことを特徴とするミラーキャビネット。
【発明の詳細な説明】
【技術分野】
【０００１】
本発明は、ミラーキャビネットに関するものである。
【背景技術】
【０００２】
従来、洗面化粧台の上方の壁面に設置されるミラーキャビネットとして、特許文献１に開示されているような構造のものがある。
特許文献１のミラーキャビネットの構造では、ミラーキャビネットと洗面化粧台間に配置されるスペーサーの上端を、ミラーキャビネットの下端の裏側に呑み込ませ、スペーサーによって洗面化粧台の全高の高さ調整を自在に行い、ミラーキャビネットの取り付け高さ寸法の異なる取り付け場所に対応できるものとしている。
【先行技術文献】
【特許文献】
【０００３】
【特許文献１】実開平２−１４５１８４号公報
【発明の概要】
【発明が解決しようとする課題】
【０００４】
上記特許文献１に開示されている構造では、スペーサーがビスで壁面に固定されると、ビス打ちによる波打ち変形が生じやすく、設置状態の意匠性が悪くなるという問題点があった。
【課題を解決するための手段】
【０００５】
本発明は、高さ調整が可能で、設置状態の意匠性を確保できるミラーキャビネットの提供を目的とし、この目的の少なくとも一部を達成するために以下の手段を採った。
本発明は、下端から下方に向かって別体のバックパネルが垂設されてなるミラーキャビネットであって、
裏側へ折曲された側面部を有するバックパネルの上端側をミラーキャビネットの下端裏側に呑み込ませ、バックパネルの上端側の裏側に、前記側面部の奥行き方向の長さとほぼ同じ奥行き方向の長さを有する押え部材を固設して、該押え部材とミラーキャビネット間に前記バックパネルが挟み込まれている
ことを要旨とする。
【発明の効果】
【０００６】
ミラーキャビネットの下端裏側にバックパネルの上端側を呑み込ませ、かつ裏側に押え部材を固設して、押え部材とミラーキャビネット間にバックパネルを挟み込んで固定することができ、バックパネルが薄い板状のものであっても押え部材により補強されて変形が防止され、良好な意匠性が確保されるものとなる。また、バックパネルを呑み込ませる量を調整することで高さ調整が容易に行えるものとなる。
また、タッピングネジを介してミラーキャビネットを壁面に固定する状態では、壁面に押え部材の裏面が当接状態となり、壁面への取り付け時のタッピングネジの締め付けによっても、押え部材を介してバックパネルの変形が良好に防止されて、意匠性が確保される。
【０００７】
また、本発明は、下端から下方に向かって別体のバックパネルが垂設されてなるミラーキャビネットであって、
前記バックパネルは、ミラーキャビネットの下端裏側に上端側を呑み込ませ、該上端側の裏側に押え部材を固設して、該押え部材とミラーキャビネット間に挟み込まれているとともに、
前記バックパネルの左右両端側には裏側へ折曲された側面部が形成されてなり、該側面部には切断用溝が上下方向に所定間隔で形成されて高さ調整可能に構成され、
高さ調整後の前記側面部の上端が、前記ミラーキャビネットの左右両端の側面部の下端に当接されて配置されている
ことを要旨とする。
【０００８】
ミラーキャビネットの下端裏側にバックパネルの上端側を呑み込ませ、かつ裏側に押え部材を固設して、押え部材とミラーキャビネット間にバックパネルを挟み込んで固定することができ、バックパネルが薄い板状のものであっても押え部材により補強されて変形が防止され、良好な意匠性が確保されるものとなる。また、切断用溝に沿って現場でバックパネルの側面部を切断して良好に高さ調整することができ、切断して高さ調整したバックパネルの側面部の上端を、ミラーキャビネットの左右の側面部の下端に当接させて配置させることで、ミラーキャビネットの側面部とバックパネルの側面部が上下方向に面一状態をなして、正面から見て左右側に段が生ずることがなく、また、バックパネルの上端のミラーキャビネットの下端裏側への呑み込み部分および押え部材を隠すことができて、極めてすっきりとした設置状態が得られ意匠性が向上するものとなる。
【図面の簡単な説明】
【０００９】
【図１】化粧台の上方の壁面に設置されたミラーキャビネットの斜視構成図である。
【図２】ミラーキャビネットの下端側（鏡を取り外して水平に切断した状態）とバックパネルの連結状態の斜視構成図である。
【図３】ミラーキャビネットの下端側（鏡を取り外して水平に切断した状態）とバックパネルの連結構造を示す裏側から見た分解斜視構成図である。
【図４】ミラーキャビネットの下端側（鏡を取り外して水平に切断した状態）にバックパネルを連結した状態の正面構成図である。
【図５】ミラーキャビネットの下端側（鏡を取り外して水平に切断した状態）にバックパネルを連結した状態の裏面図である。
【図６】バックパネルの正面側から見た斜視構成図である。
【図７】バックパネルを裏側から見た斜視構成図である。
【図８】押え部材の正面側から見た斜視構成図である。
【図９】押え部材の正面構成図である。
【図１０】押え部材の裏面構成図である。
【図１１】バックパネルの上端側を切断して高さ調整する状態のバックパネルの裏側から見た斜視構成図である。
【図１２】ミラーキャビネットの下端側（鏡を取り外して水平に切断した状態）にバックパネルを呑み込ませて接続した状態の図５のＢ−Ｂ線断面構成図である。
【図１３】図１２におけるＡ部のビス止め前の拡大断面構成図である。
【図１４】図１３の状態からビスで連結した状態の断面拡大構成図である。
【図１５】図５におけるＢ部の拡大構成図である。
【図１６】図４のＡ−Ａ線断面における上部側のビス止め状態の断面拡大構成図である。
【図１７】図４のＡ−Ａ線断面における下部部位のビス止め状態の拡大断面構成図である。
【図１８】ミラーキャビネットの下端にバックパネルを連結した状態で左右に段が生じる場合の正面概略参考図である。
【発明を実施するための形態】
【００１０】
次に、本発明を実施するための形態を実施例を用いて説明する。
図１は、ミラーキャビネットの設置状態の斜視構成図であり、洗面器２を備えた化粧台１の上方の壁面Ｗにミラーキャビネット３が設置される。
ミラーキャビネット３には３枚の鏡４，４，４が取り付けられており、鏡４，４，４の上方に照明ランプ５，５が設けられている。
また、ミラーキャビネット３の下端側には、下方へ向かって５ｍｍ程度突出した下端垂下片３ａが一体形成されており、ミラーキャビネット３の左右両端側には裏側へ９０°折り曲げて側面部３ｂが一体形成されている。
ミラーキャビネット３の下端垂下片３ａの裏側に上端を呑み込ませた状態でミラーキャビネット３の下方にバックパネル６が垂設され、このバックパネル６により、ミラーキャビネット３の下端と化粧台１の上端間が連続状となる。
バックパネル６は、ミラーキャビネット３の左右端の側面部３ｂ，３ｂ間の横幅寸法と同一の横幅寸法に形成されており、左右端の両側には裏側へ９０°折り曲げて一体状に側面部６ｂ，６ｂが形成されている。
【００１１】
なお、ミラーキャビネット３の下端側の本体３０には、図２（鏡４を取り外して水平に切断した状態）で示すように、収納部３１，３１，３１が後側へ凹み状に形成されており、また、図３（鏡４を取り外して水平に切断した状態）の裏面側から見た斜視図で示すように、ミラーキャビネットの本体３０の裏側には、収納部３１，３１，３１の下方に前面側へ凹ませて凹部３２が形成され、この凹部３２内に電子部品等が収納される。
また、ミラーキャビネットの本体３０の下端の下端垂下片３ａの裏側の中央部には、後方側へ突出して２個のボス３３，３３が一体状に突出形成されている。
【００１２】
図３に示すように、ミラーキャビネットの本体３０の下端の下端垂下片３ａの裏側にバックパネル６の上端を呑み込ませ、呑み込ませたバックパネル６の上端の裏側に押え部材７をビス８で固定して、押え部材７とミラーキャビネット３間にバックパネル６の上端を挟み込んで、ミラーキャビネットの本体３０とバックパネル６が強固に連結される。
【００１３】
ミラーキャビネットの本体３０（鏡４を取り外してミラーキャビネットの下端側を水平に切断した状態）とバックパネル６の連結状態の正面図は図４に示し、また、連結状態の裏面図は図５に示す。
バックパネル６は、図６の正面側から見た斜視図で、また、図７において裏面側から見た斜視図で示すような形状に形成されている。
バックパネル６は長方形平板状の正面部６ａの左右両端側に裏側へ９０°折曲して一体状に側面部６ｂ，６ｂが形成されており、正面部６ａの上下高さ寸法ａは３０５ｍｍで、側面部６ｂの上下高さ寸法ａ’は２９０ｍｍとなっている。また、左右の側面部６ｂ，６ｂ間の横幅寸法ｂは７４８ｍｍとなっている。また、側面部６ｂの前面側から後方側へ延びる奥行き幅寸法ｃは２２ｍｍとなっている。
【００１４】
図７の裏面図で示すように、バックパネル６の左右側の側面部６ｂ，６ｂには、それぞれ上下方向に１０ｍｍピッチ間隔で複数の断面Ｖ字状の切断用溝６１，６１，６１が形成されている。また、正面部６ａの裏側には、上下方向に３０ｍｍピッチ間隔（上端は２５ｍｍ）で切断用の溝６２，６２，６２が横方向にそれぞれ形成されている。
また、バックパネル６の正面部６ａの裏側には、ミラーキャビネットのボス３３，３３に対応する位置と、左右端側の位置に、それぞれ切断用溝６２と同じピッチ間隔で上下方向に複数の孔加工用凹部６３，６３，６３が凹み状に形成されている。また、正面部６ａの裏側下端の左右端側には、後方側へ突出してボス６ｃ，６ｃが一体形成されている。
【００１５】
また、図８には押え部材７の正面側から見た斜視図を示し、図９では押え部材７の正面構成図を、図１０では押え部材７の裏面構成図を示す。
押え部材７は、後面側が開放されたコの字状断面で横方向へ延びる角柱状に形成されており、左右両端間の長さ寸法は、前記ミラーキャビネットの本体３０およびバックパネル６の横幅寸法ｂとほぼ同等な寸法に設定されている。
この押え部材７の正面側は、両面テープを貼着可能な貼着面７ａとなっており、貼着面７ａの左右両端側に下方が開放されて逆Ｕ字状をなすネジ通し凹部７ｂ，７ｂが形成され、各ネジ通し凹部７ｂ，７ｂの先端側に、外側へ突出して隙間隠し突起７ｃ，７ｃがそれぞれ左右側に一体形成されている。
押え部材７の裏面側は複数のリブ７１，７１で補強されており、リブ７１の交差する部分にはボス部７２，７２が一体形成されている。なお、貼着面７ａ側には、中央部の２個のボス部７２，７２の位置にボス孔７２ａ，７２ａが形成されている。
【００１６】
次に、図１１においてバックパネル６の高さ調整について説明する。
図１におけるミラーキャビネット３の上端の高さを、現場において周辺に設置されているキャビネットの高さと合わせるような場合等に、現場において、ノコギリでバックパネル６をカットしてバックパネルの高さ調整を行う。
即ち、図１１に示すように、例えばバックパネル６の側面部６ｂの上下高さ寸法ａ’を２７０ｍｍに調整する場合を例示すると、切断用溝６２に沿ってノコギリで正面部６ａおよび側面部６ｂを横方向に切断し、上端側を２５ｍｍカットして、上部カット片６ａｘを切断除去する。また、左右両側の側面部６ｂ，６ｂの上端を切断用溝６１に沿って１０ｍｍカットして、側面カット片６ｂｘ，６ｂｘを切断除去する。
【００１７】
次に、上部カット片６ａｘおよび側面カット片６ｂｘを除去した後のバックパネル６の正面部６ａの上端側に、最上段の孔加工用凹部６３，６３，６３，６３を目印にして４個の孔加工を施す。即ち、左右両端側の孔加工用凹部６３，６３には壁取付孔６３ｂ，６３ｂを孔加工し、中央部の孔加工用凹部６３，６３には本体固定用の本体固定孔６３ａ，６３ａを孔加工して、上端側に４個の孔を形成する。
また、正面部６ａの下端の左右両端側に形成されているボス６ｃ，６ｃに孔加工を施して、ボス６ｃ，６ｃ内をそれぞれ前後方向に貫通させる。
なお、バックパネル６の側面部６ｂの上下寸法ａが５０ｍｍ以下に高さ調整される場合には、このボス６ｃ，６ｃには孔加工を施さないものとする。
【００１８】
このように、上端を切断して高さ調整し、上端側に４個の孔６３ａ，６３ａ，６３ｂ，６３ｂを横列に形成させ、さらに、ボス６ｃ，６ｃを孔加工した後のバックパネル６を用いて、このバックパネル６の上端を、図３のようにミラーキャビネット本体３０の下端垂下片３ａの裏側に重ね合わせて呑み込ませ、ミラーキャビネット本体３０側のボス３３，３３とバックパネル６に形成した本体固定孔６３ａ，６３ａを整合させ、さらにその裏側に押え部材７を取り付けて、押え部材７とミラーキャビネット本体３０の下端垂下片３ａ間にバックパネル６の上端側を挟み込んで、ミラーキャビネット本体３０とバックパネル６を連結する。この連結状態は図１２（図５におけるＢ−Ｂ線断面拡大図）に示す。
【００１９】
なお、図１３および図１４は、図１２におけるＡ部の拡大図であり、図１３に示すように、ミラーキャビネット本体３０の下端垂下片３ａの裏側に、バックパネル６の上端を呑み込ませて、バックパネル６に形成した本体固定孔６３ａ，６３ａ内にそれぞれミラーキャビネット本体３０側のボス３３，３３を挿入し、このボス３３，３３は、裏側に両面テープ等を介し貼着等される押え部材７のボス部７２，７２内に挿通させ、バックパネル６と押え部材７を位置決めした状態で、図１４に示すように、ビス８，８をそれぞれボス３３，３３内にネジを切りながら裏側から締め付けてゆくと、ビス８の頭部が押え部材７のボス部７２を押圧して、押え部材７と下端垂下片３ａ間にバックパネル６の上端が強固に挟み込まれる。
なお、ビス８は締め付けてもその先端はボス３３内に留まり、ミラーキャビネット本体３０の前面側へ突出することはない。
【００２０】
なお、押え部材７はバックパネル６の横幅寸法とほぼ同一の長さ寸法に設定されているため、バックパネル６の横幅方向全域が押え部材７で押え付けられることとなり、バックパネル６に反りなどの変形が生ずることはなく、バックパネル６の正面部６ａは平板状の極めてすっきりとした意匠性を呈してミラーキャビネット本体３０に強固に連結されるものである。
【００２１】
なお、バックパネル６の裏側にリブが設けられておれば変形しにくいものとなるが、裏側にリブを設けてバックパネル６を形成すると、リブの部分が収縮して正面部６ａの表側に凹み等が生ずる虞があるため、バックパネル６の正面部６ａは裏側にリブの存在しない平板状に形成されており、そのため変形しやすいものであるが、押え部材７を用いて挟み付けてミラーキャビネット本体３０に連結することで、正面部６ａの変形が防止されて意匠性が確保されるものである。
【００２２】
このバックパネル６を押え部材７を用いて取り付けた状態では、図５の裏面図で示すように、ミラーキャビネット本体３０の側面部３ｂ，３ｂの下端とバックパネル６の側面部６ｂ，６ｂの上端がほぼ当接状態となり、ミラーキャビネットの側面部３ｂとバックパネルの側面部６ｂが上下方向に面一状態をなして、正面から見て、図１８の参考図のような段Ｓが生ずることがなく、良好な意匠性が得られる。
また、側面部３ｂ，６ｂにより押え部材７の側面が隠されるとともに、下端垂下片３ａの裏側に呑み込ませたバックパネル６の上端も隠されて、極めてすっきりとした意匠性が確保されるものである。
【００２３】
また、図５におけるＢ部を図１５に拡大して示すように、押え部材７の左右両端側に突出されている隙間隠し突起７ｃが、ミラーキャビネット本体３０の側面部３ｂとバックパネル６の側面部６ｂの当接する当接部Ｐの内側に配置されるため、この当接部Ｐに隙間が生じても、隙間隠し突起７ｃにより側面側から見た場合に隙間が隠されて良好な意匠性が得られるものとなる。
【００２４】
なお、本例では、バックパネル６の側面部６ｂはミラーキャビネット本体３０の側面部３ｂの内側へ呑み込ませる構造ではないため、ミラーキャビネット本体の側面部３ｂとバックパネル６の側面部６ｂが上下方向に面一状態をなして、段差が生ずることがなく、左右何れか側の側面部３ｂ，６ｂが部屋の壁面に当接されて設置される場合でも、壁面との間に段差による隙間が生ずることはなく、極めてすっきりとした設置状態が得られるものである。
【００２５】
なお、バックパネル６の上端の呑み込み代は２０〜４５ｍｍの範囲で任意に現場で設定できるが、あまり呑み込み代が大きい場合には、ミラーキャビネット本体３０の凹部３２の裏側をバックパネル６が覆ってしまうこととなり、凹部３２内に収納される電子部品等と干渉しやすいものとなるため、呑み込み代は２０〜４５ｍｍの範囲内で決定されるものである。
【００２６】
このように押え部材７を介してミラーキャビネット本体３０の下端にバックパネル６を連結した後に、ミラーキャビネット本体３０を壁面にタッピングネジ９を用いて取り付け固定することができる。
即ち、図１６および図１７には、図４のＡ−Ａ線断面拡大図を示す。
ミラーキャビネット本体３０の前面側から、下端垂下片３ａおよびバックパネル６の壁取付孔６３ｂを通し、さらに押え部材７の左右両端側のネジ通し凹部７ｂ内を通して、タッピングネジ９を壁面Ｗにねじ込み、タッピングネジ９を介してミラーキャビネット本体３０を壁面Ｗに固定することができ、この状態では、壁面Ｗに押え部材７の裏面が当接状態となり、壁面Ｗへの取り付け時のタッピングネジ９の締め付けによっても、押え部材７を介してバックパネル６の変形が良好に防止されて、意匠性が確保されるものである。
【００２７】
なお、図１７に示すように、バックパネル６の下端側のボス６ｃに形成した孔内に表側からタッピングネジ９を通して、タッピングネジ９を壁面Ｗにねじ込むことで、バックパネル６の下端側を強固に壁面Ｗに固定することができる。
なお、バックパネル６を切断して高さ調整した状態で、バックパネル６の高さ寸法ａが５０ｍｍ以下の時には、このボス６ｃには孔加工をせずに、タッピングネジ９を用いることなくバックパネル６の下端は壁面Ｗに当接されることとなる。
【符号の説明】
【００２８】
１  化粧台
３  ミラーキャビネット
３ａ  下端垂下片
３ｂ  側面部
４  鏡
６  バックパネル
６ａ  正面部
６ｂ  側面部
６ｃ  ボス
６ａｘ，６ｂｘ  カット片
７  押え部材
７ａ  貼着面
７ｂ  ネジ通し凹部
７ｃ  隙間隠し突起
８  ビス
９  タッピングネジ
３２  凹部
３３  ボス
６１，６２  切断用溝
６３  孔加工凹部
６３ａ  本体固定孔
６３ｂ  壁取付孔
７２  ボス部
７２ａ  ボス孔
【図１】
0005570187.tif 000002
【図２】
0005570187.tif 000003
【図３】
0005570187.tif 000004
【図４】
0005570187.tif 000005
【図５】
0005570187.tif 000006
【図６】
0005570187.tif 000007
【図７】
0005570187.tif 000008
【図８】
0005570187.tif 000009
【図９】
0005570187.tif 000010
【図１０】
0005570187.tif 000011
【図１１】
0005570187.tif 000012
【図１２】
0005570187.tif 000013
【図１３】
0005570187.tif 000014
【図１４】
0005570187.tif 000015
【図１５】
0005570187.tif 000016
【図１６】
0005570187.tif 000017
【図１７】
0005570187.tif 000018
【図１８】
0005570187.tif 000019